(57)【要約】【課題】  あらかじめ固定の印刷設定を登録することなく、温室効果ガスの排出削減目標の指示に応じて印刷設定調整を簡便に実施する仕組みを提供する。【解決手段】  温室効果ガス排出量の削減目標の指示を入力する、温室効果ガス排出量削減目標指示手段と、入力された温室効果ガス排出量削減目標指示に応じて、温室効果ガス排出量の削減のために印刷設定を変更する、印刷設定調整手段と、印刷設定調整処理を行った結果の温室効果ガス排出量の削減量を表示する、温室効果ガス排出量削減効果表示手段とを有することを特徴とする。【選択図】  図２
2011096158.tif 000002
【特許請求の範囲】
【請求項１】
温室効果ガス排出量の削減目標の指示を入力する、温室効果ガス排出量削減目標指示手段（ステップ204）と、
入力された温室効果ガス排出量削減目標指示に応じて、温室効果ガス排出量の削減のために印刷設定を変更する、印刷設定調整手段（ステップ205）と、
印刷設定調整処理を行った結果の温室効果ガス排出量の削減量を表示する、温室効果ガス排出量削減効果表示手段（ステップ206）を有する印刷処理制御装置。
【請求項２】
請求項１の印刷処理制御装置において、
削減の対象を、温室効果ガス排出量の削減か、用紙の削減とするのかを指示する、
削減対象指示手段（ステップ201）を有することを特徴とする印刷処理制御装置。
【請求項３】
請求項１の印刷処理制御装置において、
印刷装置から温室効果ガスの生成に関連する情報を取得する、温室効果ガス生成情報取手段（ステップ504）と、
温室効果ガス排出量の削減に影響する処理を表示する、温室効果ガス排出量削減効果処理表示手段（ステップ505）と、
温室効果ガス排出量の削減に影響する処理を実施する際の優先順位を設定する、優先順位設定手段（ステップ506）と、
各優先順位毎に、印刷設定の調整処理を行った結果の温室効果ガス排出量の削減量を加算し、その加算結果に応じて次の優先順位の処理を続行するか否かの判定を行う、処理続行判定手段（ステップ604、607）を有する印刷処理制御装置。
【発明の詳細な説明】
【技術分野】
【０００１】
本発明は、温室効果ガス削減目標の指示に応じて印刷処理設定を自動調整するための印刷制御技術に関する。
【背景技術】
【０００２】
従来の印刷制御技術には、環境負荷プリンタ優先モードの時に、各プリンタから、予め登録した仮想プリンタの情報を取得し、各仮想プリンタの環境負荷値を計算して、環境負荷の少ない仮想プリンタをユーザへの選択肢として表示するものがある。（例えば、特許文献１参照）
また、複写機のコピーモード選択にて、CO２排出量が少ない推奨モードを表示するものがある。（例えば、特許文献２参照）
また、画像形成装置のプロセスカートリッジ側に、あらかじめ印刷設定変更のパターンを記憶させ、カートリッジ側のモードを用紙節約モードに変更すると、そのトリガをPC側へ伝達し、PC側の印刷設定を用紙節約設定（例：両面印刷、２in1、縮小印刷等）に変更するものがある。（例えば、特許文献３参照）
【先行技術文献】
【特許文献】
【０００３】
【特許文献１】特開2006-277197号公報
【特許文献２】特開2002-6696号公報
【特許文献３】特開2002-2069号公報
【発明の概要】
【発明が解決しようとする課題】
【０００４】
しかしながら、特許文献１で開示された技術では、複数のプリンタから環境負荷の少ないプリンタを選択するために、印刷設定を予め登録しておく必要があり、それぞれの温室効果ガスの削減効果が不明確であるため、温室効果ガスの削減目標を達成するために、多様な印刷設定を試行錯誤で登録する手間が必要であった。
【０００５】
また、特許文献２で開示された技術でも、温室効果ガス削減の推奨モードをあらかじめ設定する必要があり、しかもその推奨モードが固定された設定のため、他の削減量や印刷設定方法の選択ができなかった。
【０００６】
また、特許文献３で開示された技術でも、画像形成装置側の印刷モードに応じてホスト側の印刷設定を限定するものであり、その結果、節約効果は固定され、用紙節約量に応じた印刷設定の調整ができなかった。
【０００７】
また、ホスト側から出力される印刷指示が固定されるため、他の印刷設定を使用する場合は、デバイス側のモードを変更しなければならないという手間も必要であった。
【０００８】
また、用紙削減の観点からは両面印刷は有効であるが、印刷面数自体は変わらないため、画像形成装置本体側の電力消費量（すなわち画像形成装置が排出する温室効果ガス）という観点では、片面印刷の場合との差がなかった。
【０００９】
そのため、必ずしも用紙節約モードが画像形成装置側処理の温室効果ガス排出量を削減することに結びつかなかった。
【００１０】
本発明は、そのような課題を解決するためのものである。
【００１１】
すなわち、あらかじめ固定の印刷設定を登録することなく、温室効果ガスの排出削減目標の指示に応じて印刷設定調整を簡便に実施する仕組みを提供する。
【課題を解決するための手段】
【００１２】
温室効果ガス排出量の削減目標の指示を入力する、温室効果ガス排出量削減目標指示手段（ステップ204）と、
入力された温室効果ガス排出量削減目標指示に応じて、温室効果ガス排出量の削減のために印刷設定を変更する、印刷設定調整手段（ステップ205）と、
印刷設定調整処理を行った結果の温室効果ガス排出量の削減量を表示する、温室効果ガス排出量削減効果表示手段（ステップ206）とを有することを特徴とする。
【発明の効果】
【００１３】
本発明を適用した印刷処理制御装置において、あらかじめ固定の印刷設定を登録することなく、温室効果ガスの排出削減目標に応じて印刷設定の調整を簡便に実施することが可能になる。
【図面の簡単な説明】
【００１４】
【図１】実施例１のシステム図。
【図２】実施例１の主フローチャート。
【図３】実施例１の印刷設定調整処理のフローチャート。
【図４】実施例２の主フローチャート。
【図５】実施例３の主フローチャート。
【図６】実施例３の印刷設定調整処理のフローチャート。
【図７】実施例３の第一優先処理の調整処理のフローチャート。
【図８】実施例１のＵＩの例。
【図９】実施例２のＵＩの例。
【図１０】実施例３のＵＩの例。
【発明を実施するための形態】
【００１５】
（実施例）
以下、本発明を実施するための最良の形態について図面を用いて説明する。
【００１６】
図１は、本実施例の印刷制御を実行するシステムを図示している。
【００１７】
コンピュータモジュール１０１はキーボード１３２やマウス１３３のようなポインティングデバイスなどの入力装置をつなぎ、ディスプレイ装置１４４や状況に応じてはローカルプリンタ１４５を含む出力装置を連結する。入力／出力インタフェイス１３８はコンピュータモジュール１０１をネットワーク接続１０７から接続してシステムの他のコンピュータ装置につなげることができる。そのネットワーク接続１０７の典型はローカルエリアネットワーク（ＬＡＮ）、あるいはワイドエリアネットワーク（ＷＡＮ）である。
【００１８】
コンピュータモジュール１０１は典型的に少なくとも１つのプロセッサーユニット(CPU)１３５、例えば半導体のランダムアクセスメモリ（ＲＡＭ）やリードオンリーメモリ（ＲＯＭ）から構成されるメモリユニット１３６、ビデオインタフェイス１３７を含むＩＮＰＵＴ／ＯＵＴＰＵＴ（Ｉ／Ｏ）インタフェイス、キーボード１３２やマウス１３３のためのＩ／Ｏインタフェイス１４３を含んでいる。記憶装置１３９は典型的にハードディスクドライブやフロッピー（登録商標）ディスクドライブを含んでいる。図には示されていないが磁気テープドライブなどもまた使用される可能性がある。ＣＤ／ＤＶＤ−ＲＯＭドライブ１４２は不揮発性のデータソースとして提供される。コンピュータモジュール１０１はオペレーションシステムや相互接続バス１３４を介して通信を行うコンピュータモジュール１０１のコンポーネント１３５から１４３を利用する。
【００１９】
本発明のフローチャートで示された手順を実現するソフトウェアは例えば上記に記述されるような記憶装置を含むコンピュータの可読媒体に格納される。ソフトウェアはコンピュータの可読媒体からコンピュータにロードされ、コンピュータ１０１のCPU１３５によって実行される。そのコンピュータでコンピュータプログラム製品を使用することにより温室効果ガス削減目標の指示に応じて印刷処理設定を自動調整するための印刷制御装置として作動することができる。
【００２０】
図２は、本実施例の主フローチャートである。
【００２１】
本明細書では、ＵＩ部および印刷設定調整処理部は、CPU135、メモリ136、ROM 142、記憶装置 140等からなる。なお、フローチャートで示す手順がRAM、ROM、記憶装置のいずれかの記憶手段に記憶され、CPUにより実行される。
【００２２】
まず、UI部は、I/O Interface（143）を経由して、オペレータから削減対象の選択指示を受けつけ、その選択情報を印刷設定調整処理部に送信する。（ステップ201）（図８の801）
次に、印刷設定調整処理部は、削減対象の選択の判定を行う。（ステップ202）
ステップ202の判定にて、削減対象の選択が、用紙節約であった場合、印刷設定調整処理部は、印刷における片面印刷設定を、両面印刷設定に変更した印刷データを生成する。（ステップ203）
また、削減対象の選択が温室効果ガス排出量であった場合は、UI部が、温室効果ガス排出量削減詳細設定として、オペレータから温室効果ガス排出量の削減目標の入力を受けつけ、その入力情報を印刷設定調整処理部に送信する。（ステップ204）
次に、印刷設定調整処理部は、温室効果ガス排出量削減詳細設定に応じて印刷における各種設定を変更する。（ステップ205）（図３）
図３は、本実施例の印刷設定調整処理のフローチャートである。
【００２３】
図３のフローチャートにおいて、印刷設定調整処理部は、温室効果ガス排出量削減詳細設定の削減目標の判定を行う。（ステップ301、302、303、304、305）
ステップ301の判定にて、温室効果ガス排出量削減詳細設定の削減目標が割合の場合は、印刷設定調整処理部は、その削減目標に応じて必要な印刷面数の削減割合を算出し、用紙の印刷面数の削減に応じてレイアウトを調整する。
【００２４】
まず、ステップ302の判定にて、削減割合（α）が0.5以下（50％以下）の場合は、印刷設定調整処理部は、通常印刷時の印刷面数（N）を算出する。（ステップ306）
次に、印刷設定調整処理部は、削減割合に応じた印刷面数（Na）を以下の式にて算出する。（ステップ307）
Na＝N * α
次に、印刷設定調整処理部は、1ページ目から、（N−Na）*2ページ目までを２upレイアウト処理(２ページの原稿画像を用紙1ページに割り付けるレイアウト処理）し、残りのページを１up（1ページの原稿画像をそのまま用紙1ページに割り付けるレイアウト処理）するレイアウト調整処理を選択する。（ステップ308）
また、ステップ303の判定にて、削減割合（α）が0.5（50％）より大きく、0.75(75％)以下の場合は、印刷設定調整処理部は、1ページ目から、最終ページまでを４up(４ページの原稿画像を用紙1ページに割り付けるレイアウト処理）するレイアウト調整処理を選択する。（ステップ309）
また、ステップ304の判定にて、削減割合（α）が0.75（75％）より大きく、0.875(87.5％)以下の場合は、印刷設定調整処理部は、1ページ目から、最終ページまでを8up(４ページの原稿画像を用紙1ページに割り付けるレイアウト処理）するレイアウト調整処理を選択する。（ステップ310）
また、ステップ305の判定にて、削減割合（α）が0.875（87.5％）より大きく、0.9375(93.75％)以下の場合は、印刷設定調整処理部は、1ページ目から、最終ページまでを16up(１６ページの原稿画像を用紙1ページに割り付けるレイアウト処理)するレイアウト調整処理を選択する。（ステップ311）
また、ステップ305の判定にて、削減割合（α）が0.9375(93.75％)より大きい場合は、印刷設定調整処理部は、削減割合（α）が大きすぎるなどのワーニングを表示する。（ステップ312）
そして、印刷設定調整処理部は、1ページ目から、最終ページまでを16up(１６ページの原稿画像を用紙1ページに割り付けるレイアウト処理）するレイアウト調整処理を選択する。（ステップ311）
また、ステップ301の判定にて、温室効果ガス排出量削減詳細設定の削減目標がＡｕｔｏ（自動設定）の場合は、印刷設定調整処理部は、隙間削減処理をレイアウト調整処理として選択する。（ステップ313）
隙間削減処理は、テキスト等のコンテンツを移動することでコンテンツ間の隙間を低減し、用紙の印刷面数を削減する処理であり、例えば、テキストブロックの隙間が一定以上の間隔であれば、そのテキストブロックの配置を動かすなどの処理がある。
【００２５】
以上のような、レイアウト調整処理の選択の後、印刷設定調整処理部は、温室効果ガス削減予測値を算出して、温室効果ガス削減予測値をプレビュー表示部に送信する。（ステップ314）
以下は、温室効果ガス削減予測値算出方法の一例である。
【００２６】
温室効果ガス削減予測値（Kg）をX、
一面あたりの電力消費量（kWh）をD、
温室効果ガス換算係数(Kg/kWh)をp、
印刷面数の削減率をM、
もともとの印刷面数をA
とすると、
X= A*M*D*p
次に、ＵＩ部は、算出された温室効果ガス削減予測値をプレビューUI上に表示し、
処理続行の可否の入力を受けつけ、印刷設定調整処理部にその可否情報を送信する。（ステップ315）
次に、印刷設定調整処理部は、オペレータの入力の判定を行う。（ステップ316）
ステップ316の判定にて、処理続行が可であれば、印刷設定調整処理部は、印刷設定調整処理部が選択したレイアウト調整処理を実施して印刷データを生成するとともに、算出してある温室効果ガス排出量削減量をUI部に送信する。（ステップ317）
ステップ316の判定にて、処理続行が否であれば、印刷設定調整処理部は、ステップ204に戻り、UI部が、温室効果ガス排出量削減詳細設定として、オペレータから温室効果ガス排出量の削減目標の入力を再度受けつけ、その入力情報を印刷設定調整処理部に送信する。（ステップ204）
以上で、ステップ205の処理が終了する。
【００２７】
ステップ205の処理後、次に、UI部は、印刷設定調整処理部から受信した温室効果ガス排出量の削減量を削減効果として表示する。（ステップ206）
次に、印刷処理部は、印刷設定調整処理部が調整処理した印刷データと印刷指示を印刷ジョブとしてプリンタ（145）に送信する。（ステップ207）
以上のようにして、用紙節約以外に、温室効果ガス排出量の削減を選択することが可能になり、また、温室効果ガス排出量の削減目標に応じた、文書のレイアウト調整が容易になる。
【００２８】
（第２の実施例）
実施例１では、オペレータが指定する温室効果ガス排出量の削減目標に応じて必要な印刷面数の削減割合を算出し、用紙の印刷面数の削減量に応じて文書のレイアウトを調整する方法について説明したが、本発明の実施例２においては、用紙節約と温室効果ガス排出量の削減との両方を選択する方法を説明する。
【００２９】
図４は、本実施例の主フローチャートである。
【００３０】
図４のフローチャートにおいて、まず、UI部は、I/O Interface（143）を経由して、オペレータから削減対象の選択指示を受けつけ、その選択情報を印刷設定調整処理部に送信する。（ステップ401）（図９の901）
次に、印刷設定調整処理部は、削減対象の選択の判定を行う。（ステップ402、403）
ステップ402およびステップ403の判定にて、削減対象の選択が、用紙節約単独であった場合、印刷設定調整処理部は、印刷における片面印刷設定を、両面印刷設定に変更した印刷データを生成する。（ステップ404）
また、削減対象の選択が、温室効果ガス排出量単独であった場合は、UI部が、温室効果ガス排出量削減詳細設定として、オペレータから温室効果ガス排出量の削減目標の入力（図９の902）を受けつけ、その入力情報を印刷設定調整処理部に送信する。（ステップ405）
次に、印刷設定調整処理部は、温室効果ガス排出量削減詳細設定に応じて、印刷における各種設定を変更する。（ステップ406）（図３）
この時、温室効果ガス排出量削減予測値の表示（図３、ステップ315）に対し、オペレータの処理続行の選択が否であれば、印刷設定調整処理部は、ステップ405に戻る。
【００３１】
そして、UI部が、温室効果ガス排出量削減詳細設定として、オペレータから温室効果ガス排出量の削減目標の入力（図９の902）を再度受けつけ、その入力情報を印刷設定調整処理部に送信する。（ステップ405）
ステップ406の処理後、次に、UI部は、印刷設定調整処理部から受信した温室効果ガス排出量削減量を表示する。（ステップ407）
次に、印刷処理部は、印刷設定調整処理部が調整処理した印刷データをプリンタ（145）に送信する。（ステップ408）
また、削減対象の選択が、用紙節約＆温室効果ガス排出量であった場合は、UI部が、温室効果ガス排出量削減詳細設定として、オペレータから温室効果ガス排出量の削減目標の入力（図９の902）を受けつけ、その入力情報を印刷設定調整処理部に送信する。（ステップ409）
次に、印刷設定調整処理部は、温室効果ガス排出量削減詳細設定に応じて、印刷における各種設定を変更する。（ステップ410）（図３）
この時、温室効果ガス排出量削減予測値の表示（図３、ステップ315）に対し、オペレータの処理続行の選択が否であれば、印刷設定調整処理部は、ステップ409に戻る。
【００３２】
そして、UI部が、温室効果ガス排出量削減詳細設定として、オペレータから温室効果ガス排出量の削減目標の入力（図９の902）を再度受けつけ、その入力情報を印刷設定調整処理部に送信する。（ステップ409）
ステップ410の処理後、次に、印刷設定調整処理部は、
印刷における片面印刷設定を、両面印刷設定に変更した印刷データを生成する。（ステップ411）
次に、UI部は、印刷設定調整処理部から受信した温室効果ガス排出量削減量を表示する。（ステップ412）
次に、印刷処理部は、印刷設定調整処理部が調整処理した印刷データをプリンタ（145）に送信する。（ステップ408）
以上のようにして、用紙節約と温室効果ガス排出量の削減との両方の選択および実施が容易になる。
【００３３】
（第３の実施例）
オペレータが指定する温室効果ガス排出量の削減目標に応じて必要な印刷面数の削減割合を算し、用紙の印刷面数の削減量に応じて文書のレイアウトを調整する方法について説明したが、本発明の実施例３においては、温室効果ガス生成に関与する処理情報を取得したのち、それらの処理に関連した調整処理の優先順序を設定し、その順序に従って、温室効果ガス排出量の削減目標に対する調整処理を行う方法を説明する。
【００３４】
図５は、本実施例の主フローチャートである。
【００３５】
図５のフローチャートにおいて、まず、UI部は、I/O Interface（143）を経由して、オペレータから削減対象の選択指示を受けつけ、その選択情報を印刷設定調整処理部に送信する。（ステップ501）（図１０の1001）
次に、印刷設定調整処理部は、削減対象の選択の判定を行う。（ステップ502）
ステップ502の判定にて、削減対象の選択が、用紙節約であった場合、印刷設定調整処理部は、印刷における片面印刷設定を、両面印刷設定に変更した印刷データを生成する。（ステップ503）
また、削減対象の選択が、温室効果ガス排出量であった場合は、印刷設定調整処理部は、温室効果ガスの生成に関連する情報をプリンタから取得して温室効果ガス生成情報としてUI部に送信する。（ステップ504）
次に、UI部は、温室効果ガス排出量の削減に影響する処理（温室効果ガス排出量削減効果処理）を表示する（ステップ505）（図１０の1003）。
【００３６】
さらにUI部は、温室効果ガス排出量削減詳細設定として、オペレータから温室効果ガス排出量の削減目標の入力（図１０の1002）および、温室効果ガス排出量削減効果処理の優先順位等の設定（図１０の1003）および、順次自動実行モード（優先順位の順番に自動実行するか否か）の設定（図１０の1004）を受けつけ、その入力情報を印刷設定調整処理部に送信する。（ステップ506）
次に、印刷設定調整処理部は、温室効果ガス排出量削減詳細設定に応じて、印刷における各種設定を変更する。（ステップ507）（図６）
図６は、本実施例の、印刷設定調整処理のフローチャートである。
【００３７】
図６のフローチャートにおいて、まず、印刷設定調整処理部は、第一優先処理の印刷設定調整処理を行う。（ステップ601）（図７）
図７は、本実施例の、第一優先処理の印刷設定調整処理のフローチャートである。
【００３８】
本実施例では、第一優先処理として、印刷設定調整処理部が、その削減目標に応じて印刷スピードを調整する例を示している。
【００３９】
図７のフローチャートにおいて、まず、印刷設定調整処理部は、温室効果ガス排出量削減詳細設定の削減目標が割合かＡｕｔｏ（自動設定）かを判定する。（ステップ701）
次に、ステップ701の判定にて、温室効果ガス排出量削減詳細設定の削減目標が割合の場合は、印刷設定調整処理部は、その削減目標に応じて必要な印刷スピード低減率を調整する。
【００４０】
なお、本実施例では、ステップ504で取得した温室効果ガス生成関連情報をもとに、5段階の印刷スピード低減率を予め導出しておく。
【００４１】
まず、ステップ702の判定にて、削減割合（α）が0.1以下（10％以下）の場合は、印刷設定調整処理部は、印刷スピード低減率をS2とする印刷スピード調整処理を選択する。（ステップ705）
また、ステップ703の判定にて、削減割合（α）が0.1（10％）より大きく、0.2(20％)以下の場合は、印刷設定調整処理部は、印刷スピード低減率をS3とする印刷スピード調整処理を選択する。（ステップ706）
また、ステップ704の判定にて、削減割合（α）が0.2（20％）より大きく、0.3(30％)以下の場合は、印刷設定調整処理部は、印刷スピード低減率をS4とする印刷スピード調整処理を選択する。（ステップ707）
また、ステップ304の判定にて、削減割合（α）が0.3(30％)より大きい場合は、印刷設定調整処理部は、印刷スピード低減率をS5とする印刷スピード調整処理を選択する。（ステップ708）
また、ステップ301の判定にて、温室効果ガス排出量削減詳細設定の削減目標がＡｕｔｏ（自動設定）の場合は、印刷設定調整処理部は、通常印刷時の印刷スピード低減率をS1とする印刷スピード調整処理を選択する。（ステップ709）
以上のような、印刷スピード調整処理の選択の後、印刷設定調整処理部は、温室効果ガス削減予測値を算出する。（ステップ710）
次に、印刷設定調整処理部は、印刷設定調整処理部が選択した印刷スピード調整処理を実施するためのプリンタへの指示を印刷ジョブに設定する。（ステップ711）
以上で、ステップ601の処理が終了する。
【００４２】
ステップ601の処理後、印刷設定調整処理部は、第一優先処理の印刷設定調整処理の結果の温室効果ガス排出量削減量を算出する。（ステップ601）
次に、印刷設定調整処理部は、順次自動実行モードがONかOFFかの判定を行う。（ステップ603）
ステップ603の判定にて、順次自動実行モードがONであれば、印刷設定調整処理部は、ステップ601で算出した温室効果ガス排出量削減量が、温室効果ガス排出量削減割合を満たしたか否かを判定する。（ステップ604）
ステップ604の判定にて、ステップ601で算出した温室効果ガス排出量削減量が、温室効果ガス排出量削減割合を満たしていれば、印刷設定調整処理部は、ステップ601で算出した温室効果ガス排出量削減量をUI部に送信し、UI部は、最終の温室効果ガス排出量削減量としてそれを表示する。（ステップ620）
ステップ604の判定にて、ステップ601で算出した温室効果ガス排出量削減量が、温室効果ガス排出量削減割合を満たしていなければ、印刷設定調整処理部は、第二優先処理の印刷設定調整処理を行う。（ステップ605）
次に、印刷設定調整処理部は、第一優先処理の印刷設定調整処理の結果の温室効果ガス排出量削減量と、第二優先処理の印刷設定調整処理の結果の温室効果ガス排出量削減量を加算して、トータル削減量を算出する。（ステップ606）
次に、印刷設定調整処理部は、ステップ606で算出したトータル削減量が、温室効果ガス排出量削減割合を満たしたか否かを判定する。（ステップ607）
ステップ607の判定にて、ステップ606で算出したトータル削減量が、温室効果ガス排出量削減割合を満たしていれば、印刷設定調整処理部は、ステップ606で算出したトータル削減量をUI部に送信し、UI部は、最終の温室効果ガス排出量削減量としてそれを表示する。（ステップ620）
ステップ607の判定にて、ステップ606で算出したトータル削減量が、温室効果ガス排出量削減割合を満たしていなければ、印刷設定調整処理部は、第三優先処理の印刷設定調整処理を行う。（ステップ608）
次に、印刷設定調整処理部は、第一優先処理の印刷設定調整処理の結果の温室効果ガス排出量削減量と、第二優先処理の印刷設定調整処理の結果の温室効果ガス排出量削減量と、第三優先処理の印刷設定調整処理の結果の温室効果ガス排出量削減量を加算して、トータル削減量を算出する。（ステップ609）
次に、印刷設定調整処理部は、ステップ609で算出したトータル削減量をUI部に送信し、UI部は、最終の温室効果ガス排出量削減量としてそれを表示する。（ステップ620）
また、ステップ602の後、印刷設定調整処理部は、順次自動実行モードの判定を行う。（ステップ603）
ステップ603の判定にて、順次自動実行モードがOFFであれば、印刷設定調整処理部は、ステップ601で算出した温室効果ガス排出量削減量をUI部に送信し、UI部が温室効果ガス排出量削減量を表示する。（ステップ610）
次に、UI部は、オペレータから第二優先処理を続行するか否かの入力を受けつけ、その入力情報を印刷設定調整処理部に送信する。（ステップ611）
次に、印刷設定調整処理部は、オペレータの入力の判定を行う。（ステップ612）
ステップ612の判定にて、ステップ611で受信したオペレータの入力が「処理を続行する」であれば、印刷設定調整処理部は、第二優先処理の印刷設定調整処理を行う。（ステップ613）
次に、印刷設定調整処理部は、第一優先処理の印刷設定調整処理の結果の温室効果ガス排出量削減量と、第二優先処理の印刷設定調整処理の結果の温室効果ガス排出量削減量を加算して、トータル削減量を算出する。（ステップ614）
次に、印刷設定調整処理部は、ステップ614で算出した温室効果ガス排出量削減量をUI部に送信し、UI部が温室効果ガス排出量削減量を表示する。（ステップ615）
次に、UI部は、オペレータから第三優先処理を続行するか否かの入力を受けつけ、その入力情報を印刷設定調整処理部に送信する。（ステップ616）
次に、印刷設定調整処理部は、オペレータの入力の判定を行う。（ステップ617）
ステップ617の判定にて、ステップ616で受信したオペレータの入力が「処理を続行する」であれば、印刷設定調整処理部は、第三優先処理の印刷設定調整処理を行う。（ステップ618）
次に、印刷設定調整処理部は、第一優先処理の印刷設定調整処理の結果の温室効果ガス排出量削減量と、第二優先処理の印刷設定調整処理の結果の温室効果ガス排出量削減量と、第三優先処理の印刷設定調整処理の結果の温室効果ガス排出量削減量を加算して、トータル削減量を算出する。（ステップ619）
次に、印刷設定調整処理部は、ステップ619で算出したトータル削減量をUI部に送信し、UI部は、最終の温室効果ガス排出量削減量としてそれを表示する。（ステップ620）
また、ステップ612や617の判定にて、ステップ611や616で受信したオペレータの入力が「処理を続行しない」であれば、印刷設定調整処理部は、第二優先処理や第三優先処理の印刷設定調整処理を行わない。
【００４３】
印刷設定調整処理部は、それまでに算出済みのトータル削減量をUI部に送信し、UI部は、最終の温室効果ガス排出量削減量としてそれを表示する。（ステップ620）
以上にて、ステップ507の処理が終了する。
【００４４】
ステップ507の処理後、UI部は、印刷設定調整処理部から受信した温室効果ガス排出量削減量を表示する。（ステップ508）
次に、印刷処理部は、印刷設定調整処理部が調整処理した印刷データをプリンタ（145）に送信する。（ステップ509）
以上のようにして、温室効果ガス排出量の削減目標に応じて、文書のレイアウト調整以外の印刷設定の調整も容易になる。
【図１】
2011096158.tif 000003
【図２】
2011096158.tif 000004
【図３】
2011096158.tif 000005
【図４】
2011096158.tif 000006
【図５】
2011096158.tif 000007
【図６】
2011096158.tif 000008
【図７】
2011096158.tif 000009
【図８】
2011096158.tif 000010
【図９】
2011096158.tif 000011
【図１０】
2011096158.tif 000012